【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
環状の固定子と、この固定子の内側に回転自在に配置された回転子とを備え、前記固定子は、電機子巻線を持つ固定子鉄心を有し、前記回転子は、永久磁石が装着されると共に冷媒が通る冷却穴が形成された回転子鉄心を有し、前記冷却穴は、外周側に向かって凸となる断面形状を有するように形成されていることを特徴とする回転電機。
【請求項２】
前記回転子の外径をＤ、最高回転数をＮ、並びに前記冷却穴と前記回転子の内周との間の部位の厚みをＴｉとしたとき、Ｔｉ×６０／（π×Ｄ×Ｎ）≧１．５×１０−４としたことを特徴とする請求項１記載の回転電機。
【請求項３】
前記回転子鉄心の外周部に沿って形成される磁極における前記永久磁石間の距離をＷｐ、前記永久磁石と前記冷却穴との間の最小距離をＷｍとしたとき、Ｗｍ／Ｗｐ≧０．６０としたことを特徴とする請求項１記載の回転電機。
【請求項４】
前記回転子鉄心の外周部に沿って形成されたリラクタンストルクを発生する磁極の側方にリラクタンストルクを発生する磁束の流れに沿って空洞を設け、前記磁極を前記磁束に対して交差する方向に通る前記電機子の磁束が前記空洞に挿入された永久磁石で打ち消されて前記磁極の端部の漏れ磁界が抑制され、前記回転子鉄心の周方向に磁気的に凹凸が形成されるように構成したことを特徴とする請求項１記載の回転電機。
【請求項５】
環状の固定子と、この固定子の内側に回転自在に配置された回転子とを備え、前記固定子は、電機子巻線を持つ固定子鉄心を有し、前記回転子は、永久磁石が装着された回転子鉄心を有し、前記永久磁石が前記回転子の軸方向に延びる間隙を有するように分割されると共に前記間隙を冷媒が通る冷却流路としたことを特徴とする回転電機。
【請求項６】
熱伝導性及び剛性を有する材料で形成されたダクトをその外周面が前記間隙の内面に接するように前記間隙内に同軸状に配置したことを特徴とする請求項５記載の回転電機。
【請求項７】
前記回転子鉄心から前記間隙内に突出して前記永久磁石の分割された部分をそれぞれ前記回転子の軸方向と直交する方向に移動しないように支持する突起を設けたことを特徴とする請求項５記載の回転電機。
【請求項８】
環状の固定子と、この固定子の内側に回転自在に配置された回転子とを備え、前記固定子は、電機子巻線を持つ固定子鉄心を有し、前記回転子は、空洞が形成され、前記空洞に永久磁石が挿入されている回転子鉄心を有し、前記永久磁石が前記回転子の軸方向に延びる間隙を有するように分割されると共に前記間隙を冷媒が通る冷却流路とし、前記空洞の両端部には、前記永久磁石の存在しない空隙を形成し、前記空洞の一方の端部から前記冷却流路を通って前記空洞の他方の端部に至るバイパス冷却流路を形成したことを特徴とする回転電機。
【請求項９】
前記回転子鉄心には、外周部に沿って周方向に等間隔ずつ離れた複数の所定箇所それぞれに前記空洞が二個ずつ設けられ、前記二個ずつの空洞は、前記回転子鉄心の外周部に向かって開くＶ字状を成すように形成されると共に、前記永久磁石における磁極側の外周側角部に対向する空隙を有することを特徴とする請求項８記載の回転電機。
【請求項１０】
環状の固定子と、この固定子の内側に回転自在に配置された回転子とを備え、前記固定子は、電機子巻線を持つ固定子鉄心を有し、前記回転子は、永久磁石が挿入される空洞を有すると共にこの空洞の内面と前記永久磁石との間に熱伝導性シートを介在させたことを特徴とする回転電機。
【請求項１１】
環状の固定子と、この固定子の内側に回転自在に配置された回転子とを備え、前記固定子は、電機子巻線を持つ固定子鉄心を有し、前記回転子は、軸方向に延びる空洞と、この空洞の内面に接するように挿入された永久磁石とを有し、前記空洞における前記永久磁石が接する内面に軸方向に延びると共に冷媒が通る溝状の冷却流路を設けたことを特徴とする回転電機。
【請求項１２】
前記冷媒流路は、軸方向にジグザグ状に形成されたことを特徴とする請求項１１記載の回転電機。
【請求項１３】
環状の固定子と、この固定子の内側に回転自在に配置された回転子とを備え、前記固定子は、電機子巻線を持つ固定子鉄心を有し、前記回転子は、永久磁石が装着されると共に冷媒が通る冷却穴が形成された環状の回転子鉄心を有し、前記冷却穴における前記回転子鉄心の内周側に対向する部位が、前記回転子鉄心の内周側に向かって凸となる断面円弧状を呈していることを特徴とする回転電機。
【請求項１４】
環状の固定子と、この固定子の内側に回転自在に配置された回転子とを備え、前記固定子は、電機子巻線を持つ固定子鉄心を有し、前記回転子は、永久磁石が装着されると共に冷媒が通る冷却穴が形成された環状の回転子鉄心を有し、前記冷却穴における前記回転子鉄心の内周側に対向する部位が、前記回転子鉄心の外周側に向かって凸となると共に前記回転子鉄心の内周面と略平行となるように形成されていることを特徴とする回転電機。
【請求項１５】
環状の固定子と、この固定子の内側に回転自在に配置された環状の回転子と、この回転子の内側に配置された回転子シャフトとを備え、前記固定子は、電機子巻線を持つ固定子鉄心を有し、前記回転子は、永久磁石が装着された環状の回転子鉄心と、その内周面から外周側に向かって凸となる断面形状の切欠部とを有しており、この切欠部と前記回転子シャフトの外周面とにより冷媒流路を形成していることを特徴とする回転電機。
【請求項１６】
環状の固定子と、この固定子の内側に回転自在に配置された環状の回転子と、この回転子の内側に配置された回転子シャフトとを備え、前記固定子は、電機子巻線を持つ固定子鉄心を有し、前記回転子は、永久磁石が装着された環状の回転子鉄心を有し、前記回転子シャフトは、その外周面から中心側に向かって凸となる断面形状の切欠部を有しており、この切欠部と前記回転子鉄心の内周面とにより冷媒流路を形成していることを特徴とする回転電機。
【請求項１７】
環状の固定子と、この固定子の内側に回転自在に配置された環状の回転子と、この回転子の内側に配置された回転子シャフトとを備え、前記固定子は、電機子巻線を持つ固定子鉄心を有し、前記回転子は、永久磁石が装着された環状の回転子鉄心を有し、前記回転子シャフトは、その外周面から中心側に向かって凸となる断面形状の切欠部を有し、前記回転子鉄心は、その内周面から外周側に向かって凸となる断面形状の切欠部を有しており、前記回転子シャフトの切欠部と前記回転子鉄心の切欠部とが互いに対向することにより冷媒流路を形成していることを特徴とする回転電機。
【請求項１８】
前記回転子鉄心の外周部に沿って形成されたリラクタンストルクを発生する磁極の側方にリラクタンストルクを発生する磁束の流れに沿って空洞を設け、前記磁極を前記磁束に対して交差する方向に通る前記電機子の磁束が前記空洞に挿入された永久磁石で打ち消されて前記磁極の端部の漏れ磁界が抑制され、前記回転子鉄心の周方向に磁気的に凹凸が形成されるように構成したことを特徴とする請求項１３乃至請求項１７のいずれか一項記載の回転電機。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、本発明に係る他の回転電機は、環状の固定子と、この固定子の内側に回転自在に配置された回転子とを備え、前記固定子は、電機子巻線を持つ固定子鉄心を有し、前記回転子は、永久磁石が装着された回転子鉄心を有し、前記永久磁石が前記回転子の軸方向に延びる間隙を有するように分割されると共に前記間隙を冷媒が通る冷却流路としたことを特徴としている。
また、本発明に係る他の回転電機は、環状の固定子と、この固定子の内側に回転自在に配置された回転子とを備え、前記固定子は、電機子巻線を持つ固定子鉄心を有し、前記回転子は、空洞が形成され、前記空洞に永久磁石が挿入されている回転子鉄心を有し、前記永久磁石が前記回転子の軸方向に延びる間隙を有するように分割されると共に前記間隙を冷媒が通る冷却流路とし、前記空洞の両端部には、前記永久磁石の存在しない空隙を形成し、前記空洞の一方の端部から前記冷却流路を通って前記空洞の他方の端部に至るバイパス冷却流路を形成したことを特徴としている。
【手続補正５】
【補正対象書類名】明細書
【補正対象項目名】００１４
【補正方法】削除
【補正の内容】
【手続補正６】
【補正対象書類名】明細書
【補正対象項目名】００２７
【補正方法】変更
【補正の内容】
【００２７】
回転子鉄心７には、リラクタンストルクを発生する磁束の流れに沿うように空洞１２を軸方向に設けてあり、この空洞１２に挿入された永久磁石８によって、磁極Ｐを前記磁束に対して交差する方向に通る電機子巻線４の磁束が打ち消され、磁極端部の漏れ磁界が抑制されて回転子鉄心７の周方向に磁気的に凹凸が形成されている。